(57)【要約】      （修正有）【課題】汚れにくく、洗う手間がかからない、三角コーナーの提供。【解決手段】三角コーナーの三角形の底面と１つの側面を取り外し、シンクの中に置かずに、シンクの上部の角に固定させ、直角を挟む２つの側面で作った三角コーナーにゴミ袋をかぶせ、吊るした状態にする。ゴミが重くなり、ゴミ袋がずり落ちない様に洗濯はさみなどで止める。【効果】シンクの中が広く使える。直角を挟む２つの側面で作るこの三角コーナーは、底もなく洗う必要がない。又ゴミ袋を設置すると、ひろい三角の入り口ができる為、ゴミも入れやすくなり、ゴミ袋も簡単に交換できる。【選択図】図１
2011042499.tif 000002
【特許請求の範囲】
【請求項１】
三角形の底面と３つの側面からなる従来の三角コーナーの底面と１つの側面を取り外し、直角を挟む２つの側面で作る三角コーナーで、これを色々な方法によってシンクの上部の角に固定する事
【発明の詳細な説明】
【技術分野】
【０００１】  従来からある三角コーナーは、シンクの中の角に置くように、三角形の底面と３つの側面からなる容器になっていますが、この洗わない三角コーナーは、従来の三角コーナーの三角形の底面と１つの側面を取り外し、直角を挟む２つの側面にゴミ袋をかぶせ、吊るした状態で使うものです。
底面がなくゴミ袋を２つの側面にひっかけて、吊るした状態で使いますので、ゴミが重くなり、ゴミ袋がずり落ちるのを防ぐために、洗濯はさみなどで止めます。
又、この三角コーナー専用のゴミ袋を作らなくても、従来のゴミ袋を使う事ができる。
流し台のシンクの上部の角に、固定する目的の為、直角を挟む二面の三角コーナーに、吸盤や磁石をつけるための台を取り付けます。
【背景技術】
【０００２】  従来からある網目の三角コーナーは、容器である為、汚れやすく洗う手間がかかり、シンクの中に置くと、場所をとります。
【発明が解決しようとする課題】
【０００３】  従来の三角コーナーは、容器になっている為、汚れやすく、洗う手間がかかる事。
【課題を解決するための手段】
【０００４】  従来の三角コーナーの三角形の底面と１つの側面を取り外す事で、容器ではなくなり、洗う必要がない。
シンクの中に置かずに、シンクの上部の角に固定させ、直角を挟む２つの側面で作った三角コーナーにゴミ袋をかぶせ、吊るした状態にする。
ゴミが重くなり、ゴミ袋がずり落ちない様に洗濯はさみなどで止める。
【発明を実施するための形態】
【０００５】  従来の三角コーナーの三角形の底面と１つの側面を外し、直角を挟む２つの側面をプラスチックや金属で作り、又同じ材質で、シンクの上部の角に固定する為に、磁石や吸盤をつけるための台を取り付けたもの
【発明の効果】
【０００６】  シンクの上部の角に合わせて固定しますので、シンクの中が広く使える。
直角を挟む２つの側面で作るこの三角コーナーは、底もなく洗う必要がない。
又ゴミ袋を設置しますと、ひろい三角の入り口ができる為、ゴミも入れやすくなり、ゴミ袋も簡単に交換出きます。
又、ゴミ袋も従来からあるものを使うことができる。
【図面の簡単な説明】
【図１】  直角を挟む２つの側面（１）に、固定する為に吸盤や磁石などをつける台（２）をとりつけた三角コーナーの前方図
【図２】  直角を挟む２つの側面（１）に、固定する為に吸盤や磁石などを付ける台（２）を取り付けた三角コーナーの後方図
【図１】
2011042499.tif 000003
【図２】
2011042499.tif 000004
【手続補正書】
【提出日】平成21年10月8日(2009.10.8)
【手続補正１】
【補正対象書類名】特許請求の範囲
【補正対象項目名】請求項１
【補正方法】変更
【補正の内容】
【請求項１】
三角形の底面と３つの側面からなる従来の三角コーナーの底面と１つの側面を取り外した形の直角を挟む２つの側面で作る三角コーナーであり、又、側面に切り込みを設ける事により、小さなサイズの水切りフィルターも使用できる三角コーナーを色々な方法によって、シンクの上部の角に固定する事。
【手続補正２】
【補正対象書類名】明細書
【補正対象項目名】全文
【補正方法】変更
【補正の内容】
【発明の詳細な説明】
【技術分野】
【０００１】  従来からある三角コーナーは、シンクの中に置くように、三角形の底面と３つの側面からなる容器になっていますが、この洗わない三角コーナーは、従来の三角コーナーの三角形の底面と１つの側面を外した形の直角を挟む２つの側面で出来ています。
容器の代わりに、水切りフィルターを側面にかぶせ、ずり落ちないように３箇所の角に設けた切り込みに引っ掛けるか、洗濯挟みなどで止めるなどして吊るした状態で使うものです。
また、側面に切り込みを設けて、小さな水切りフィルターを使う事も出来るようにしました。
流し台のシンクの上部の角に固定する目的の為、直角を挟む２つの側面の下部に、吸盤や磁石を付けるための台を取り付けます。
【背景技術】
【０００２】  従来からある三角コーナーは容器である為、特に網目の物などは、汚れやすく、洗剤を使って洗う手間がかかり、シンクの中に置くと場所を取ります。
大きさが決まっている為、小さな水切りフィルターは使えない。
【発明が解決しようとする課題】
【０００３】  従来の三角コーナーは容器になっている為、汚れやすく洗う手間がかかる。
シンクの中を広く使う。
小さな水切りフィルターでも使えるようにする。
【課題を解決するための手段】
【０００４】  従来の三角コーナーの底面を外し、水切りフィルターをその代わりにした事で、容器ではなくなり、洗う手間がかからない。
シンクの上部の角に固定させた、直角を挟む２つの側面だけの三角コーナーに、水切りフィルターをかぶせ、吊るした状態で使う事によって、シンクの中は広く使える。
側面に切り込みを設けた事で、サイズの小さな水切りフィルターにも対応できる。
【発明の実地の形態】
【０００５】  従来の三角コーナーの三角形の底面と１つの側面を外した形の直角を挟む２つの側面を金属の板状や丸棒などやプラスチック等で作り、又、同じ材質で、シンクの上部の角に固定する為に、直角を挟む２つの側面の下部に磁石や吸盤を付ける台を取り付ける。
ずれ落ちるのを防ぐ為に３箇所の角に切り込みを設ける。
また、側面に切り込みを設けることにより、サイズの小さなフィルターも使う事が出来る。
【発明の効果】
【０００６】  シンクの上部の角に固定する事で、シンクの中がすっきりする。
側面で出来ているこの三角コーナーは、水切りフィルターが容器の代わりとなり汚れない。
市販の安価な水きりフィルターを使う事が出来て、サイズの小さなフィルターも使用可能で、それらの交換も簡単である。
入り口の広い三角コーナーとなる為使い勝手が良い。
【図面の簡単な説明】
【図１】  直角を挟む２つの側面（１）に磁石や吸盤などを付ける台（２）を取り付けた三角コーナーの前方図。
【図２】  直角を挟む２つの側面（１）に磁石や吸盤などを付ける台（２）を取り付けた三角コーナーの後方図。
【図３】  直角を挟む２つの側面（１）に小さなサイズのフィルターに対応する為の切り込みを設けて、磁石や吸盤などをつける台（２）を取り付けた三角コーナーの前方図。
【図４】  直角を挟む２つの側面（１）に小さなサイズのフィルターに対応する為の切り込みを設けて、磁石や吸盤などを付ける台（２）を取り付けた三角コーナーの後方図。
【図５】  金属の丸棒で作る直角を挟む２つの側面（１）に磁石や吸盤を付ける台（２）を取り付けた三角コーナーの前方図。
【手続補正３】
【補正対象書類名】図面
【補正対象項目名】全図
【補正方法】変更
【補正の内容】
【図１】
2011042499.tif 000005
【図２】
2011042499.tif 000006
【図３】
2011042499.tif 000007
【図４】
2011042499.tif 000008
【図５】
2011042499.tif 000009